(57)【要約】【課題】コンテンツをユーザ所望の部分のみを抽出して記録することが可能なコンテンツ記録装置を提供する。【解決手段】コンテンツを入力するコンテンツ入力手段１１と、ユーザが閲覧又は保存を所望する内容の条件を記したコンテンツ分析条件を入力する分析条件入力手段１２と、コンテンツ入力手段１１で入力されたコンテンツの内容を時系列で分析し、コンテンツ分析条件に合致する部分を抽出するコンテンツ分析手段１３と、コンテンツ入力手段１１で入力されたコンテンツ中、コンテンツ分析手段１３で抽出された部分のみを、記録媒体１０に記録する部分記録手段１４と、を備える。【選択図】図１
2006013787.tif 000002
【特許請求の範囲】
【請求項１】
コンテンツを記録媒体に記録するコンテンツ記録装置において、コンテンツを入力するコンテンツ入力手段と、ユーザが閲覧又は保存を所望する内容の条件を記したコンテンツ分析条件を入力する分析条件入力手段と、前記コンテンツ入力手段で入力されたコンテンツの内容を時系列で分析し、前記コンテンツ分析条件に合致する部分を抽出するコンテンツ分析手段と、前記コンテンツ入力手段で入力されたコンテンツ中、前記コンテンツ分析手段で抽出された部分のみを、前記記録媒体に記録する部分記録手段と、を備えたことを特徴とするコンテンツ記録装置。
【請求項２】
前記コンテンツ入力手段は、前記記録媒体に記録されているコンテンツを読み出す手段を有し、前記コンテンツ分析手段は、前記読み出されたコンテンツに対する分析及び抽出を実行し、前記部分記録手段は、前記コンテンツ入力手段で読み出されたコンテンツ中、前記コンテンツ分析手段で抽出された部分のみを、前記記録媒体に、前記コンテンツとは別に新規に記録、或いは前記コンテンツに上書き記録することを特徴とする請求項１に記載のコンテンツ記録装置。
【請求項３】
前記分析条件入力手段は、前記コンテンツ分析条件の入力補助として、コンテンツにおける小区画の一覧をユーザに提示する手段と、該提示した一覧の中から前記コンテンツ入力条件をユーザに選択させる手段と、を有し、前記コンテンツ分析手段は、前記選択させた小区画に該当する部分を抽出することを特徴とする請求項１又は２に記載のコンテンツ記録装置。
【請求項４】
前記分析条件入力手段は、前記コンテンツ分析条件の入力補助として、コンテンツにおける出演者の一覧をユーザに提示する手段と、該提示した一覧の中から前記コンテンツ入力条件をユーザに選択させる手段と、を有し、前記コンテンツ分析手段は、前記選択させた出演者が登場している部分を抽出することを特徴とする請求項１乃至３のいずれか１項に記載のコンテンツ記録装置。
【請求項５】
前記コンテンツ分析手段における分析は、前記コンテンツの音声データに基づく音声分析、又は前記コンテンツの画像データに基づく画像分析、を少なくとも用いることを特徴とする請求項１乃至４のいずれか１項に記載のコンテンツ記録装置。
【請求項６】
前記コンテンツは、時系列でその内容がコンテンツ情報として付加されたデジタルコンテンツであり、前記コンテンツ分析手段は、前記コンテンツ情報に基づき前記デジタルコンテンツを分析することを特徴とする請求項１乃至５のいずれか１項に記載のコンテンツ記録装置。
【請求項７】
前記コンテンツ分析手段は、分析対象のコンテンツに関する情報と、前記コンテンツ分析条件に対するコンテンツの分析結果と、を関連付けて記録する分析結果記録手段と、該分析結果記録手段で記録された情報及び分析結果を参照して、新たなコンテンツに対する分析を実行する参照分析手段と、を有することを特徴とする請求項１乃至６のいずれか１項に記載のコンテンツ記録装置。
【請求項８】
コンテンツを記録媒体に記録するコンテンツ記録方法において、コンテンツを入力するコンテンツ入力ステップと、ユーザが閲覧又は保存を所望する内容の条件を記したコンテンツ分析条件を入力する分析条件入力ステップと、前記コンテンツ入力ステップで入力されたコンテンツの内容を時系列で分析し、前記コンテンツ分析条件に合致する部分を抽出するコンテンツ分析ステップと、前記コンテンツ入力ステップで入力されたコンテンツ中、前記コンテンツ分析ステップで抽出された部分のみを、前記記録媒体に記録する部分記録ステップと、を含んでなることを特徴とするコンテンツ記録方法。
【請求項９】
前記コンテンツ入力ステップは、前記記録媒体に記録されているコンテンツを読み出すステップであり、前記コンテンツ分析ステップは、前記読み出されたコンテンツに対する分析及び抽出を実行し、前記部分記録ステップは、前記コンテンツ入力ステップで読み出されたコンテンツ中、前記コンテンツ分析ステップで抽出された部分のみを、前記記録媒体に、前記コンテンツとは別に新規に記録、或いは前記コンテンツに上書き記録することを特徴とする請求項８に記載のコンテンツ記録方法。
【請求項１０】
前記分析条件入力ステップは、前記コンテンツ分析条件の入力補助として、コンテンツにおける小区画の一覧をユーザに提示するステップと、該提示した一覧の中から前記コンテンツ入力条件をユーザに選択させるステップと、を有し、前記コンテンツ分析ステップは、前記選択させた小区画に該当する部分を抽出することを特徴とする請求項８又は９に記載のコンテンツ記録方法。
【請求項１１】
前記分析条件入力ステップは、前記コンテンツ分析条件の入力補助として、コンテンツにおける出演者の一覧をユーザに提示するステップと、該提示した一覧の中から前記コンテンツ入力条件をユーザに選択させるステップと、を有し、前記コンテンツ分析ステップは、前記選択させた出演者が登場している部分を抽出することを特徴とする請求項８乃至１０のいずれか１項に記載のコンテンツ記録方法。
【請求項１２】
前記コンテンツ分析ステップにおける分析は、前記コンテンツの音声データに基づく音声分析、又は前記コンテンツの画像データに基づく画像分析、を少なくとも用いることを特徴とする請求項８乃至１１のいずれか１項に記載のコンテンツ記録方法。
【請求項１３】
前記コンテンツは、時系列でその内容がコンテンツ情報として付加されたデジタルコンテンツであり、前記コンテンツ分析ステップは、前記コンテンツ情報に基づき前記デジタルコンテンツを分析することを特徴とする請求項８乃至１２のいずれか１項に記載のコンテンツ記録方法。
【請求項１４】
前記コンテンツ分析ステップは、分析対象のコンテンツに関する情報と、前記コンテンツ分析条件に対するコンテンツの分析結果と、を関連付けて記録する分析結果記録ステップと、該記録された情報及び分析結果を参照して、新たなコンテンツに対する分析を実行する参照分析ステップと、を有することを特徴とする請求項８乃至１３のいずれか１項に記載のコンテンツ記録方法。
【請求項１５】
請求項１乃至７のいずれか１項に記載のコンテンツ記録装置における各手段として、コンピュータを機能させるためのコンテンツ記録プログラム。
【請求項１６】
請求項８乃至１４のいずれか１項に記載のコンテンツ記録方法における各ステップを、コンピュータに実行させるためのコンテンツ記録プログラム。
【請求項１７】
請求項１５又は１６に記載のコンテンツ記録プログラムを記録したコンピュータ読み取り可能な記録媒体。
【発明の詳細な説明】
【技術分野】
【０００１】
本発明は、コンテンツ記録装置、方法、プログラム、及び記録媒体に関する。
【背景技術】
【０００２】
従来から、テレビ番組の保存や後日の閲覧のために、テレビ番組に対しその場での録画や予約録画を行う番組録画装置がある。録画する記録媒体としては、その主流がビデオテープから各種ＤＶＤ（Ｄｉｇｉｔａｌ  Ｖｅｒｓａｔｉｌｅ  Ｄｉｓｃ）やハードディスクに代わってきているが、録画操作も、煩わしい個々の番組に対する時間の指定からＧコードを用いたもの、さらには電子番組表を用いたものに代わってきている。電子番組表（ＥＰＧ）は、電子番組表配信サービスによりテレビ番組のデータに電子番組表のデータを重畳して送信されており、地上波データ放送，インターネット，携帯電話などからの簡易な録画予約を可能としている。
【０００３】
また、テレビ番組の録画方法に関しては、ユーザ指定の条件を満たす番組を電子番組表から自動的に検索して録画予約する装置が提案されている（例えば、特許文献１を参照）。また、ユーザの嗜好などをユーザプロファイルとして持ち、放送に付加されてくる番組情報が、ユーザプロファイルの示すユーザの嗜好と合致する番組を自動録画する番組記録装置も提案されている（例えば、非特許文献１を参照）。さらに、録画すべき複数の番組が同一時間帯に放送され、選択的にしか録画できない様な場合にもユーザの手を煩わすことなく自動的に何れかの番組を選択する番組予約装置が提案されている（例えば、特許文献２を参照）。
【０００４】
【特許文献１】特開平７−１２１９３５号公報
【特許文献２】特開２０００−２９５５５４号公報
【非特許文献１】“次世代ディジタル放送へ向けて”柳町昭夫他、情報メディア学会誌Ｖｏｌ．５１，Ｎｏ９，ｐｐ．１３７０‐１３７９（１９９７）
【発明の開示】
【発明が解決しようとする課題】
【０００５】
しかしながら、ユーザは、番組を録画する際、その番組の全てを保存或いは閲覧したい訳ではない。上述した装置も含め従来技術の番組録画装置で録画した番組に対しては、そのタイトルや録画時間などをユーザに提示する機能を利用できるに留まり、１つの番組内でトークシーンや演奏シーンといった様々な種類のシーンが存在し、且つユーザがそのうちのトークシーンのみを保存或いは閲覧したい場合には、ユーザは結局、早送りなどにより閲覧しながらユーザが見たいシーンを探すなど、手動による煩わしい探索や探索後の編集が必要となる。
【０００６】
このような煩わしさは、勿論、テレビ放送番組だけに限らず、ラジオ放送番組やネットワークを介して配信されるデジタルコンテンツなど、様々なコンテンツの閲覧或いは保存に対しても生ずるものである。
【０００７】
本発明は、上述のごとき実情に鑑みてなされたものであり、コンテンツをユーザ所望の部分のみを抽出して記録することが可能な、コンテンツ記録装置、コンテンツ記録方法、コンテンツ記録プログラム、及び該プログラムを記録したコンピュータ読み取り可能な記録媒体を提供することをその目的とする。
【課題を解決するための手段】
【０００８】
本発明は、上述のごとき課題を解決するために、以下の各技術手段により構成される。
第１の技術手段は、コンテンツを記録媒体に記録するコンテンツ記録装置において、コンテンツを入力するコンテンツ入力手段と、ユーザが閲覧又は保存を所望する内容の条件を記したコンテンツ分析条件を入力する分析条件入力手段と、前記コンテンツ入力手段で入力されたコンテンツの内容を時系列で分析し、前記コンテンツ分析条件に合致する部分を抽出するコンテンツ分析手段と、前記コンテンツ入力手段で入力されたコンテンツ中、前記コンテンツ分析手段で抽出された部分のみを、前記記録媒体に記録する部分記録手段と、を備えたことを特徴としたものである。
【０００９】
第２の技術手段は、第１の技術手段において、前記コンテンツ入力手段は、前記記録媒体に記録されているコンテンツを読み出す手段を有し、前記コンテンツ分析手段は、前記読み出されたコンテンツに対する分析及び抽出を実行し、前記部分記録手段は、前記コンテンツ入力手段で読み出されたコンテンツ中、前記コンテンツ分析手段で抽出された部分のみを、前記記録媒体に、前記コンテンツとは別に新規に記録、或いは前記コンテンツに上書き記録することを特徴としたものである。
【００１０】
第３の技術手段は、第１又は第２の技術手段において、前記分析条件入力手段は、前記コンテンツ分析条件の入力補助として、コンテンツにおける小区画の一覧をユーザに提示する手段と、該提示した一覧の中から前記コンテンツ入力条件をユーザに選択させる手段と、を有し、前記コンテンツ分析手段は、前記選択させた小区画に該当する部分を抽出することを特徴としたものである。
【００１１】
第４の技術手段は、第１乃至第３のいずれかの技術手段において、前記分析条件入力手段は、前記コンテンツ分析条件の入力補助として、コンテンツにおける出演者の一覧をユーザに提示する手段と、該提示した一覧の中から前記コンテンツ入力条件をユーザに選択させる手段と、を有し、前記コンテンツ分析手段は、前記選択させた出演者が登場している部分を抽出することを特徴としたものである。
【００１２】
第５の技術手段は、第１乃至第４のいずれかの技術手段において、前記コンテンツ分析手段における分析は、前記コンテンツの音声データに基づく音声分析、又は前記コンテンツの画像データに基づく画像分析、を少なくとも用いることを特徴としたものである。
【００１３】
第６の技術手段は、第１乃至第５のいずれかの技術手段において、前記コンテンツは、時系列でその内容がコンテンツ情報として付加されたデジタルコンテンツであり、前記コンテンツ分析手段は、前記コンテンツ情報に基づき前記デジタルコンテンツを分析することを特徴としたものである。
【００１４】
第７の技術手段は、第１乃至第６のいずれかの技術手段において、前記コンテンツ分析手段は、分析対象のコンテンツに関する情報と、前記コンテンツ分析条件に対するコンテンツの分析結果と、を関連付けて記録する分析結果記録手段と、該分析結果記録手段で記録された情報及び分析結果を参照して、新たなコンテンツに対する分析を実行する参照分析手段と、を有することを特徴としたものである。
【００１５】
第８の技術手段は、コンテンツを記録媒体に記録するコンテンツ記録方法において、コンテンツを入力するコンテンツ入力ステップと、ユーザが閲覧又は保存を所望する内容の条件を記したコンテンツ分析条件を入力する分析条件入力ステップと、前記コンテンツ入力ステップで入力されたコンテンツの内容を時系列で分析し、前記コンテンツ分析条件に合致する部分を抽出するコンテンツ分析ステップと、前記コンテンツ入力ステップで入力されたコンテンツ中、前記コンテンツ分析ステップで抽出された部分のみを、前記記録媒体に記録する部分記録ステップと、を含んでなることを特徴としたものである。
【００１６】
第９の技術手段は、第８の技術手段において、前記コンテンツ入力ステップは、前記記録媒体に記録されているコンテンツを読み出すステップであり、前記コンテンツ分析ステップは、前記読み出されたコンテンツに対する分析及び抽出を実行し、前記部分記録ステップは、前記コンテンツ入力ステップで読み出されたコンテンツ中、前記コンテンツ分析ステップで抽出された部分のみを、前記記録媒体に、前記コンテンツとは別に新規に記録、或いは前記コンテンツに上書き記録することを特徴としたものである。
【００１７】
第１０の技術手段は、第８又は第９の技術手段において、前記分析条件入力ステップは、前記コンテンツ分析条件の入力補助として、コンテンツにおける小区画の一覧をユーザに提示するステップと、該提示した一覧の中から前記コンテンツ入力条件をユーザに選択させるステップと、を有し、前記コンテンツ分析ステップは、前記選択させた小区画に該当する部分を抽出することを特徴としたものである。
【００１８】
第１１の技術手段は、第８乃至第１０のいずれかの技術手段において、前記分析条件入力ステップは、前記コンテンツ分析条件の入力補助として、コンテンツにおける出演者の一覧をユーザに提示するステップと、該提示した一覧の中から前記コンテンツ入力条件をユーザに選択させるステップと、を有し、前記コンテンツ分析ステップは、前記選択させた出演者が登場している部分を抽出することを特徴としたものである。
【００１９】
第１２の技術手段は、第８乃至第１１のいずれかの技術手段において、前記コンテンツ分析ステップにおける分析は、前記コンテンツの音声データに基づく音声分析、又は前記コンテンツの画像データに基づく画像分析、を少なくとも用いることを特徴としたものである。
【００２０】
第１３の技術手段は、第８乃至第１２のいずれかの技術手段において、前記コンテンツは、時系列でその内容がコンテンツ情報として付加されたデジタルコンテンツであり、前記コンテンツ分析ステップは、前記コンテンツ情報に基づき前記デジタルコンテンツを分析することを特徴としたものである。
【００２１】
第１４の技術手段は、第８乃至第１３のいずれかの技術手段において、前記コンテンツ分析ステップは、分析対象のコンテンツに関する情報と、前記コンテンツ分析条件に対するコンテンツの分析結果と、を関連付けて記録する分析結果記録ステップと、該記録された情報及び分析結果を参照して、新たなコンテンツに対する分析を実行する参照分析ステップと、を有することを特徴としたものである。
【００２２】
第１５の技術手段は、第１乃至第７のいずれかの技術手段のコンテンツ記録装置における各手段として、コンピュータを機能させるためのコンテンツ記録プログラムである。
【００２３】
第１６の技術手段は、第８乃至第１４のいずれかの技術手段のコンテンツ記録方法における各ステップを、コンピュータに実行させるためのコンテンツ記録プログラムである。
【００２４】
第１７の技術手段は、第１５又は第１６の技術手段におけるコンテンツ記録プログラムを記録したコンピュータ読み取り可能な記録媒体である。
【発明の効果】
【００２５】
本発明によれば、コンテンツをユーザ所望の部分のみを抽出して記録することが可能となる。
【発明を実施するための最良の形態】
【００２６】
図１は、本発明の一実施形態に係るコンテンツ記録装置の一構成例を示す図で、図２は、図１のコンテンツ記録装置におけるコンテンツ記録処理例を説明するためのフロー図で、本発明の一実施形態に係るコンテンツ記録方法を説明するためのフロー図でもある。図１において、１はコンテンツ記録装置、１０は記録媒体、１１はコンテンツ入力手段、１２は分析条件入力手段、１３はコンテンツ分析手段、１４は部分記録手段、Ｃはコンテンツ、Ｂは部分コンテンツである。
【００２７】
本発明の一実施形態に係るコンテンツ記録装置１は、コンテンツを記録媒体１０に記録するコンテンツ記録装置において、１つのコンテンツＣからユーザが望む部分（部分コンテンツＢ）のみを抽出して記録することが可能な装置であり、コンテンツ入力手段１１，分析条件入力手段１２，コンテンツ分析手段１３，部分記録手段１４を少なくとも備えるものとする。勿論、コンテンツ記録装置１には、記録媒体１０への通常のコンテンツ記録を実行するコンテンツ記録手段を備えてもよく、このコンテンツ記録手段を流用して部分記録手段１４を構成することが好ましい。
【００２８】
本発明に係るコンテンツ記録を実行するに際し、記録の対象となるコンテンツＣとしては、テレビ放送番組，ラジオ放送番組，インターネット配信のデジタルコンテンツ（静止画コンテンツの集まりや動画コンテンツ）など、様々なコンテンツが挙げられる。ここでコンテンツとして放送番組を記録する場合には、放送を受信するアンテナや符号化手段，復号手段等、通常の放送受信機が具備する構成要素を、コンテンツ入力のために必要とする。また、デジタル放送に限らず、アナログ放送で受信したコンテンツに対しても、コンテンツ分析手段１３（及び分析条件入力手段１２）等がアナログコンテンツの分析を可能とする手段であれば、本発明は適用可能である。これらコンテンツの種類或いはコンテンツ取得の方法に応じて、例えば、テレビ放送受信機やテレビ放送受信機能を持つ番組録画装置，ラジオ放送受信機やラジオ放送受信機能を持つ番組録画装置，コンピュータなどと、本発明に係るコンテンツ記録装置の適用先が変わることとなる。
【００２９】
また、本発明に係るコンテンツ記録を実行するに際して記録先となる記録媒体１０としては、ハードディスク（ＨＤＤ）や各種ＤＶＤ，ＣＤ，ＭＤ，ビデオテープ，カセットテープなどが挙げられ、さらに、記録媒体１０はネットワークを介して離間した位置にあるものであってもよい。これら記録媒体１０の種類に応じて、本発明に係るコンテンツ記録装置は、ハードディスクレコーダ，ＤＶＤレコーダ，ＣＤレコーダ，ＭＤレコーダ，ビデオレコーダ，カセットテープレコーダに適用されることとなる。
【００３０】
コンテンツ入力手段１１は、コンテンツＣを入力する手段であり、上述のごとく様々な手段が考えられるが、コンテンツＣを入力でき、且つ他の手段（特に手段１３，１４）への伝送或いは他の手段からの読み出しが可能であればよい。
【００３１】
分析条件入力手段１２は、ユーザが閲覧又は保存を所望する内容の条件を記したコンテンツ分析条件（コンテンツ記録条件とも謂える）を入力する手段である。分析条件入力手段１２は、ユーザに分析条件の入力を促す手段と、そのユーザ入力を取り込む手段とから構成すればよい。また、本発明に係る分析及び抽出を実行する際のユーザからの命令を入力する手段（単なる選択／押下ボタンなどでもよい）も、分析条件入力手段１２の前段等に設けておけばよい。
【００３２】
コンテンツ分析手段１３は、コンテンツ入力手段１１で入力されたコンテンツＣの内容を時系列で分析し、コンテンツ分析条件に合致する部分を抽出する手段である。また、部分記録手段１４は、コンテンツ入力手段１１で入力されたコンテンツＣ中、コンテンツ分析手段１３で抽出された部分（部分コンテンツＢ）のみを、記録媒体１０に記録する手段である。
【００３３】
コンテンツ分析手段１３及び部分記録手段１４によって、入力コンテンツＣを分割して保存することとなる。ここで保存される部分コンテンツＢは、ユーザの所望する内容の条件に基づく部分コンテンツであり、従って、本実施形態によれば、コンテンツＣをユーザ所望の部分のみを抽出して記録すること、すなわちコンテンツＣをユーザ所望の部分に分割することや分割して記録することが可能となる。勿論、１つのコンテンツから最終的に生成される部分コンテンツは、１つとは限らない。
【００３４】
ここで、コンテンツ分析手段１３及び部分記録手段１４における処理について例示する。
本発明は、上述のごとき構成によりコンテンツ分割保存機能をもち、コンテンツが番組の場合には、番組分割保存機能をもつと謂え、ここでは番組に対する分割保存の例を挙げる。
【００３５】
例えば、１つの番組として歌番組を挙げた場合、その歌番組の中には歌の部分（演奏部分）に加え、演奏間でのアーティストと司会者との間で執り行なわれるトークの部分があり、コンテンツ記録装置１のユーザが、トークの部分にしか興味が無いと仮定する。このとき、ユーザはコンテンツ分析条件（この例では番組分析条件）として「トーク部分」を入力する。すると、コンテンツ分析手段１３が番組を分析し、番組の中から「トーク」に該当する時間帯を抽出する。
【００３６】
分析方法としては、様々な方法が採用でき、勿論、ユーザが入力する分析条件として分析方法も指定可能とすることが好ましい。分析方法としては、例えば、音楽番組においては「演奏中は絶えず音声が流れていること」や「演奏の直前・直後は音声が途絶えることが多いこと」など、歌番組特有の特徴を利用して、音声分析してもよい。また、「演奏の直前・直後では画面が切り替わること」など、歌番組特有の特徴を利用して、画像分析（動画分析も含む）してもよい。また、画像分析においては、「演奏の開始時に演奏曲名や演奏者名等のテロップが入ること」や「演奏中には歌詞のテロップが入ること」など、テロップを頼りに分析し、トーク以外の部分（ここでは演奏部分）の抽出を実行してもよい。また、動画分析としては、サムネイル抽出技術を利用したものであってもよい。さらに、番組中、コマーシャル（ＣＭ）部分は、従来の例えば音声特性の切り替えによるＣＭカット機能を用いてもよいし、また、ＣＭ部分でなくともこのＣＭカット機能を利用して分析・抽出を実行してもよい。また、上述したような様々な方法を併用して抽出の精度を上げるようにしてもよい。
【００３７】
歌番組において、トーク部分と歌の部分に分割する例以外では、例えば、バラエティ番組で、コントの部分とクイズの部分と歌の部分などに分割してそれぞれ別々の部分番組として保存することもできる。コント部分は、例えば、スタジオの観衆による笑い声がそのまま或いは擬似的に挿入されているといった特徴を利用して、抽出するとよい。クイズの部分は、例えば、回答者のボタン押下音や正解／誤解音などが挿入されているといった特徴を利用して、抽出するとよい。このように、本発明では、例えば、トークのみを見たい場合や歌のみを聞きたい場合や、それぞれを別々のカテゴリ（小区画（コーナー））として保存したい場合に、好適に使用できる。
【００３８】
また、番組中の小区画（トーク，コント，演奏，クイズ等）別に部分番組を保存するだけでなく、本発明では、目的の歌手等の出演者が出演している部分を抜粋することも可能となっている。また、出演者に代わり、プロデューサ（但し、１番組中に異なるプロデューサが関与していないと意味を成さない）などが係わっている部分を抽出するようにしてもよい。例えば、分析条件としてユーザが「歌手Ａ」を入力した場合には、テロップに「歌手Ａ」が出てから、次のカテゴリ（例えばトーク部分）に移行するまで、或いは次の「歌手Ｂ」のテロップが出るまで、などを画像分析により抽出するとよい。「歌手Ａ」等、様々な歌手の声の特徴を分析した音声分析結果を予め用意しておき、「歌手Ａ」の音声を音声分析により抽出してもよい。
【００３９】
また、本発明は、「トーク部分以外」，「歌手Ａ以外」といった排他的な分析条件の入力及びそれに基づく抽出も可能である。従って、バラエティ番組やトーク番組のある特定のコーナーだけを抜粋して録画することだけでなく、抜粋した部分を飛ばして録画することも可能である。
【００４０】
上述のごとく、図８及び図９で説明する他の実施形態と併せて後述するが、コンテンツ分析手段１３における分析は、コンテンツの音声データに基づく音声分析、又はコンテンツの画像データに基づく画像分析、を少なくとも用いるようにすることが好ましい。音声による分析であれば、音声データを入力し、例えば歌手の声紋分析やステレオ／アナログの差異、ＣＭであるか否かなどに基づき、分析する。決り文句「はい、次は〜〜です。」といった音声（発話内容）を拾ってもよい。トークと演奏が交互に繰り返されるような音楽番組などに有効である。画像による分析であれば、例えば出演タレント，キャラクタ，文字（字幕）（歌詞などでもよい）などに基づき、分析するとよい。
【００４１】
また、本発明は、「特定のコーナーが何時ごろから始まり、何分放映するかはだいたい決まっている場合が多い」という特徴を利用して、ユーザ所望の部分を抽出するようにしてもよい。既に、収録済の番組であれば何時ごろ放送するかの情報を入手することは可能である。但し、この場合、放映する側との交渉は必要となる。
【００４２】
このような時間的な情報（時間データ）に基づく時間分析を行うことも本発明では適用でき、特に、コンテンツＣがデジタルコンテンツである場合には有効であり、抽出を容易且つ正確にする。特に有効なデジタルコンテンツは、時系列でその内容がコンテンツ情報として付加されたデジタルコンテンツであり、コンテンツ分析手段１３は、このコンテンツ情報に基づきデジタルコンテンツを分析するようにすることが好ましい。時間による分析を行うのであれば、時間データを入力し、例えばコーナーの時間，所定のタレントが出演する時間などに基づき、分析を実行するとよい。この時間データに基づく時間分析は、勿論、単独で適用してもよいし、上述した音声分析や画像分析と併用して、抽出精度を上げるようにしてもよい。
【００４３】
上述のごとき構成をもつコンテンツ記録装置１におけるコンテンツ記録処理を、図２を参照して説明する。
【００４４】
まず、外部機器等からコンテンツＣを入力する（ステップＳ１）。次に、ユーザが閲覧又は保存を所望する内容の条件を記した入力に基づき、コンテンツ分析条件を入力する（ステップＳ２）。ここで、ステップＳ１とステップＳ２との順序は問わない。
【００４５】
そして、ステップＳ１で入力されたコンテンツの内容を時系列で分析し、ステップＳ２で入力されたコンテンツ分析条件に合致する部分を抽出する（ステップＳ３）。最後に、ステップＳ１で入力されたコンテンツＣ中、ステップＳ３の分析により抽出された部分（部分コンテンツＢ）のみを、記録媒体１０に記録する（ステップＳ４）。
【００４６】
図３は、本発明の他の実施形態に係るコンテンツ記録装置の一構成例を示す図で、図４は、図３のコンテンツ記録装置におけるコンテンツ記録処理例を説明するためのフロー図で、本発明の他の実施形態に係るコンテンツ記録方法を説明するためのフロー図でもある。図３において、２はコンテンツ記録装置であり、その他、図１と同様の構成要素には同じ符号を付し、その説明を省略する。
【００４７】
図３及び図４で例示する本発明の他の実施形態に係るコンテンツ記録処理は、図１及び図２で説明した実施形態において、コンテンツの入力を記録媒体１０から行うことを特徴としたものである。従って、本実施形態に係るコンテンツ記録装置２におけるコンテンツ入力手段１１は、コンテンツを記録媒体１０に予め記録されている１又は複数のコンテンツＣの中から、ユーザ選択に基づき入力し、結果として、この選択したコンテンツＣから部分コンテンツＢを生成することになる。例えば、番組の場合には、ユーザが録画した番組の中から編集したい番組を選択し、選択した番組の中の小区画等を分析条件によって指定して、その番組中から小区画等に該当する部分番組（１つとは限らない）を抽出し、記録媒体１０に書き込む。この書き込みによって生じた部分番組は、結果的に、予め録画した番組を編集したコンテンツであると謂える。なお、ここでは、図１及び図２で説明した実施形態と共通の部分に対する説明を省略している。
【００４８】
コンテンツ入力手段１１は、記録媒体１０からコンテンツＣを読み出す手段を有する。そして、コンテンツ分析手段１３は、読み出されたコンテンツＣに対する分析及び抽出を実行し、部分記録手段１４は、コンテンツ入力手段１１で読み出されたコンテンツＣ中、コンテンツ分析手段１３で抽出された部分（部分コンテンツＢ）のみを、記録媒体１０に、コンテンツＣとは別に新規に記録、或いはコンテンツＣに上書き記録する。
【００４９】
上述のごとき構成をもつコンテンツ記録装置２におけるコンテンツ記録処理を、図４を参照して説明する。
【００５０】
まず、記録媒体１０に記録されているコンテンツを読み出す（ステップＳ１１）。読み出す対象となるコンテンツＣは基本的にユーザが指定するものとする。次に、ユーザ入力に基づきコンテンツ分析条件を入力する（ステップＳ１２）。ここで、ステップＳ１１とステップＳ１２との順序は問わない。
【００５１】
そして、ステップＳ１１で読み出されたコンテンツの内容を時系列で分析し、ステップＳ１２で入力されたコンテンツ分析条件に合致する部分を抽出する（ステップＳ１３）。ここで、ユーザに上書き保存を行うか、或いは新規保存を行うのかをユーザに確認する（ステップＳ１４）。なお、ステップＳ１４の処理は、保存の前の段階であれば何時でも実行してよい。ステップＳ１４において上書き保存が選択された場合、ステップＳ１１で読み出されたコンテンツＣ中、ステップＳ１３の分析により抽出された部分のみを、コンテンツに上書きして記録媒体１０に記録する（ステップＳ１５）。逆に、ステップＳ１４において新規保存が選択された場合、ステップＳ１１で読み出されたコンテンツＣ中、ステップＳ１３の分析により抽出された部分（部分コンテンツＢ）のみを、コンテンツＣとは別に新規で記録媒体１０に記録する（ステップＳ１６）。
【００５２】
図５は、本発明の他の実施形態に係るコンテンツ記録装置におけるコンテンツ記録処理例を説明するためのフロー図で、本発明の他の実施形態に係るコンテンツ記録方法を説明するためのフロー図でもある。
【００５３】
図５を参照して説明する本発明の他の実施形態に係るコンテンツ記録処理は、図１及び図２で説明したコンテンツ記録処理及び／又は図３及び図４で説明したコンテンツ記録処理において、コンテンツ分析条件の入力補助を行う機能を付加したものであり、上述した実施形態と共通の部分の説明は省略する。また、本実施形態に係るコンテンツ記録装置では、図１，図３の双方の実施形態を併せた形態において入力補助機能を持たせたもののみを説明するが、いずれか一方の実施形態のみを採択してもよく、その場合の説明はここでの説明で充足する。
【００５４】
分析条件入力手段１２は、コンテンツ分析条件の入力補助として、コンテンツＣにおける小区画（コーナーやカテゴリ）の一覧をユーザに提示する手段と、提示した一覧の中からコンテンツ入力条件をユーザに選択させる手段と、を有するものとする。そして、コンテンツ分析手段１３は、選択させた小区画に該当する部分を抽出する。また、上述の提示において、コンテンツＣにおける出演者の一覧をユーザに提示するようにし、提示した一覧の中からコンテンツ入力条件をユーザに選択させるようにしてもよく、この場合、コンテンツ分析手段１３は、選択させた出演者が登場している部分（部分コンテンツＢ）を抽出することとなる。勿論、小区画と出演者とを併記してユーザに選択させるようにしてもよく、さらに選択項目として好ましくは「その他」の項目を設けてユーザ入力を促すようにしてもよい。
【００５５】
上述のごとき構成をもつコンテンツ記録装置におけるコンテンツ記録処理を、図５を参照して説明する。
【００５６】
まず、コンテンツＣを外部入力、或いは記録媒体１０から読み出す（ステップＳ２１）。次に、コンテンツＣにおける小区画や出演者の一覧をユーザに提示し（ステップＳ２２）、ここで提示した一覧の中からコンテンツ入力条件をユーザに選択させる（ステップＳ２３）。ここで、ステップＳ２１とステップＳ２２，Ｓ２３との順序は問わない。
【００５７】
次に、ステップＳ２１で取得したコンテンツＣの内容を時系列で分析し、ステップＳ２３で選択されたコンテンツ分析条件に合致する部分を抽出する（ステップＳ２４）。ステップＳ２４において、小区画に対しては、選択させた小区画に該当する部分（部分コンテンツＢ）を抽出し、出演者に対しては、選択させた出演者が登場している部分（部分コンテンツＢ）を抽出する。出演者に代わり、プロデューサなどを提示し、抽出するようにしてもよい。そして、ステップＳ２１で取得したコンテンツＣ中、ステップＳ２４の分析により抽出された部分（部分コンテンツＢ）のみを、記録媒体１０に上書き記録／新規記録する（ステップＳ２５）。
【００５８】
図６は、本発明の他の実施形態に係るコンテンツ記録装置の一構成例を示す図で、図７は、図６のコンテンツ記録装置におけるコンテンツ記録処理例を説明するためのフロー図で、本発明の他の実施形態に係るコンテンツ記録方法を説明するためのフロー図でもある。図６において、３はコンテンツ記録装置、１３ａは分析結果記録手段、１３ｂは参照分析手段、Ｒは参照用情報であり、その他、図１，図３と同様の構成要素には同じ符号を付し、その説明を省略する。
【００５９】
図６及び図７で例示する本発明の他の実施形態に係るコンテンツ記録処理は、上述した各実施形態に係るコンテンツ記録処理において、部分コンテンツＢの分析・抽出処理に対する学習機能を付加したものであり、上述した各実施形態において説明したものと重複する部分の説明は省略する。
【００６０】
本実施形態に係るコンテンツ分析手段１３は、分析結果記録手段１３ａ，参照分析手段１３ｂを備え、記録媒体１０等の記録媒体に参照用情報Ｒを格納し、それを利用して分析・抽出を実行できるものとする。
【００６１】
分析結果記録手段１３ａは、分析対象のコンテンツＣに関する情報と、コンテンツ分析条件に対するコンテンツＣの分析結果と、を関連付けて、参照用情報Ｒとして記録する。ここで、分析対象のコンテンツＣに関する情報とは、コンテンツＣのタイトル，製作者，監督，出演者，総時間等のコンテンツＣ自身に関する情報などが挙げられ、デジタルコンテンツに対してはコンテンツ情報として一般的に付加されているものが挙げられる。
【００６２】
また、参照分析手段１３ｂは、分析結果記録手段１３ａで記録された参照用情報Ｒ（コンテンツに関する情報及び分析結果）を参照して、新たなコンテンツＣに対する分析を実行する。新たなコンテンツＣの入力があって部分記録を実行する場合、或いは記録媒体１０に格納されているコンテンツＣを新たに編集する場合には、例えば、新たなコンテンツＣの分析に際し、分析対象コンテンツＣに関する情報やユーザ入力された分析条件をキーとして、参照用情報Ｒを参照して、事前に同様のコンテンツが存在したか、或いは事前に同様の分析条件があったか、などを分析し、その結果に基づいて、分析条件に合った部分コンテンツの抽出を実行する。
【００６３】
より具体的には、参照用情報Ｒとして、コンテンツＣ１の出演者は歌手Ａであり、それに基づく分析結果は「歌手Ａの声帯分析結果、在る特定の帯域に著しいピークが存在する」といった情報が格納されていたとする。この場合、コンテンツＣ２を分析対象としたときに、ユーザ入力された分析条件が「歌手Ａの演奏部分」であったとすると、まず、参照用情報Ｒを参照し、「歌手Ａが著しいピークを在る特定帯域でもつ」事実を得て、コンテンツＣ２の音声分析をこのピークを検索することで実行し、結果として、歌手Ａが演奏している部分（歌っている部分）を部分コンテンツＢとして抽出する。
【００６４】
上述のごとき構成をもつコンテンツ記録装置３におけるコンテンツ記録処理を、図７を参照して説明する。
【００６５】
まず、コンテンツＣを外部入力、或いは記録媒体１０から読み出す（ステップＳ３１）。次に、コンテンツＣにおける小区画や出演者の一覧をユーザに提示し（ステップＳ３２）、ここで提示した一覧の中からコンテンツ入力条件をユーザに選択させる（ステップＳ３３）。ここで、ステップＳ３１とステップＳ３２，Ｓ３３との順序は問わない。
【００６６】
次に、ステップＳ２１で取得したコンテンツＣが、参照用情報Ｒに記録されたコンテンツに関連があるかを判定する（ステップＳ３４）。なお、ステップＳ３４の処理は、抽出処理の前の段階であれば何時でも実行してよい。
【００６７】
ステップＳ３４でＹＥＳの場合、ステップＳ２１で取得したコンテンツのＣ内容から、参照用情報Ｒを参照して、ステップＳ３３で選択されたコンテンツ分析条件に合致する部分を抽出する（ステップＳ３５）。一方、ステップＳ３４でＮＯの場合、ステップＳ２１で取得したコンテンツＣの内容を時系列で分析し、ステップＳ３３で選択されたコンテンツ分析条件に合致する部分を抽出する（ステップＳ３６）。
【００６８】
ステップＳ３５，Ｓ３６に続き、新たなコンテンツの部分抽出のための情報（参照用情報Ｒ）として、分析結果及びコンテンツ情報を記録媒体１０等に記録する（ステップＳ３７）。なお、ステップＳ３７の処理は、部分コンテンツＢの抽出後の段階であれば何時でも実行してよい。そして、ステップＳ２１で取得したコンテンツＣ中、分析により抽出された部分のみを、記録媒体１０に上書き記録／新規記録する（ステップＳ３８）。
【００６９】
図８は、本発明の他の実施形態に係るコンテンツ記録装置の一構成例として番組録画装置の構成例を示すブロック図で、図９は、図８の番組録画装置における番組録画処理例を説明するためのフロー図で、本発明の他の実施形態に係るコンテンツ記録方法を説明するためのフロー図でもある。
【００７０】
図８において、２０は番組録画装置、２１はアンテナ、２２はチューナ、２３はデコード部、２４は番組録画処理部、２５はエンコード部、２６は出力制御部、２７はネットワークインタフェイス（以下、Ｉ／Ｆと略す）部、２８は入力部、２９は外部記録媒体Ｉ／Ｆ部、３０は記憶部、３１はＣＰＵ、３２はメモリ、３３はシステムバス、４１はネットワーク、４２はリモートコントローラ（以下、リモコンと略す）、４３はスピーカ、４４は表示装置、４５は外部記録媒体である。
【００７１】
図８及び図９を参照して説明する本発明の他の実施形態に係るコンテンツ記録装置及び方法は、図１乃至図７で説明したコンテンツ記録装置及び方法の組み合わせの例に関するものである。但し、ここでは、図１乃至図７で説明した実施形態の全て兼ね備えたコンテンツ記録装置及び方法に関するものの一例を説明し、また、上述した実施形態と共通の部分の説明は省略する。
【００７２】
番組録画装置２０は、アンテナ２１，チューナ２２，デコード部２３，番組録画処理部２４，エンコード部２５，出力制御部２６，ネットワークＩ／Ｆ部２７，入力部２８，外部記録媒体Ｉ／Ｆ部２９，記憶部３０，ＣＰＵ３１，メモリ３２，システムバス３３を備えている。記憶部３０は磁気ディスクなどで構成され、メモリ３２はＲＯＭやＲＡＭなどで構成され、チューナ２２，デコード部２３，番組録画処理部２４，エンコード部２５，出力制御部２６，ネットワークＩ／Ｆ部２７，入力部２８，外部記録媒体Ｉ／Ｆ部２９，記憶部３０，ＣＰＵ３１，メモリ３２の各部はシステムバス３３を介して相互に接続されている。また、デコード部２３，番組録画処理部２４，エンコード部２５，出力制御部２６，ＣＰＵ３１，メモリ３２，システムバス３３やその他の部位を、システムＬＳＩ（Ｓｙｓｔｅｍ  Ｌａｒｇｅ  Ｓｃａｌｅ  Ｉｎｔｅｇｒａｔｉｏｎ）として構成してもよい。
【００７３】
さらに、番組録画装置２０は、番組録画装置２０へ遠隔で各種操作入力するためのリモコン４２、音声データの出力装置であるスピーカ４３、映像データの出力装置であるＣＲＴやＬＣＤ，プラズマディスプレイなどの表示装置４４、音声や映像データを記録可能なＤＶＤ，ビデオテープ，半導体メモリ，ＨＤなどの外部記録媒体４５などで構成され、出力制御部２６を介してスピーカ４３と表示装置４４を接続し、外部記録媒体Ｉ／Ｆ部２９を介して外部記録媒体４５を着脱可能に接続し、ネットワークＩ／Ｆ部２７を介してインターネットなどのネットワーク４１と接続可能とする。なお、入力部２８は受光部を備え、リモコン４２からの操作信号を入力する。
【００７４】
ここで、本発明の番組録画装置２０は、上述したように、例えば、ハードディスクレコーダ，ＤＶＤレコーダ，ハードディスク内蔵ＤＶＤレコーダなどに好適に適用でき、さらには、チューナ機能を備えたパーソナルコンピュータなどに適用してもよい。なお、ここでの説明ではハードディスク内蔵ＤＶＤレコーダを代表例として説明するものとする。
【００７５】
図８において、チューナ２２は、アンテナ２１で受信された放送波から放送信号を復調し、映像信号成分、音声信号成分、（及びコンテンツに関する情報）に分離する。ここで、コンテンツに関する情報は、電子番組表データ（以下、ＥＰＧデータという）から取得するようにしてもよい。ＥＰＧデータは、例えば、番組名，ジャンル，放送時間帯（開始時刻／終了時刻），出演者，番組内容（あらすじ）などの各番組に関する情報が含まれ、上記放送波から取得する以外に、ＥＰＧ配信サービスを提供するサービス提供業者等のサーバ装置からネットワーク４１を介して取得するようにしてもよい。なお、上記放送波は、デジタル放送波（ＢＳ，ＣＳ，地上波）或いはアナログ放送波のいずれであってもよい。
【００７６】
アナログ放送波による番組を録画する場合、チューナ２２は、アンテナ２１を介して受信した高周波信号（アナログ変調信号）を復調し、分離した映像信号と音声信号をエンコード部２５に入力する。エンコード部２５は、入力された映像信号と音声信号を、例えば、ＭＰＥＧ（Ｍｏｖｉｎｇ  Ｐｉｃｔｕｒｅ  Ｅｘｐｅｒｔｓ  Ｇｒｏｕｐ）方式などでエンコードする。エンコードされた映像信号と音声信号は、記憶部３０或いは外部記録媒体４５に記憶される。
【００７７】
番組録画処理部２４は、通常の番組録画も行うが、本発明に係る番組記録処理（部分番組記録処理）も実行する。ここでは、入力部２８でのユーザによる分析条件入力を経て、チューナ２２から伝送された番組或いはデコード部２３でデコードされた番組から部分番組を生成し、エンコード部２５でエンコードして、その部分番組と参照用情報を記憶部３０に記憶する。また、記憶部３０に事前に録画されている番組を番組録画処理部２４で部分番組にする場合、記憶部３０から読み出した番組をそのまま或いはデコード部２３でデコードした後、部分番組の生成を実行して、必要に応じてエンコード部２５でエンコードして、元の番組に上書きするか或いは元の番組とは別に新規保存する。
【００７８】
アナログ放送の録画データを再生する場合、記憶部３０或いは外部記録媒体４５に記憶された映像信号と音声信号はデコード部２３に出力され、デコード部２３は、入力された映像信号と音声信号をＭＰＥＧ方式でデコードして出力制御部２６に出力する。出力制御部２６は、デコードされた映像信号に基づいて表示出力を制御して表示装置４４に映像を出力させると共に、音声信号に基づいて音声出力を制御してスピーカ４３に音声を出力させる。視聴者は上術の各信号に対応したアナログ放送番組を視聴することができる。
【００７９】
また、デジタル放送波による番組を録画する場合、チューナ２２は、アンテナ２１を介して受信した高周波信号（デジタル変調信号）を復調し、分離した映像信号と音声信号とコンテンツ情報とを記憶部３０或いは外部記録媒体４５に出力して記憶させ、番組録画処理部２４に入力する。デジタル放送波の場合も番組録画処理部２４における処理は同じであるが、放送波として受信したコンテンツ情報を利用できる点が異なる。
【００８０】
デジタル放送の録画データを再生する場合、記憶部３０或いは外部記録媒体４５に記憶された映像信号と音声信号はデコード部２３に出力され、デコード部２３は、入力された映像信号と音声信号をデコードして出力制御部２６に出力する。出力制御部２６は、デコードされた映像信号に基づいて表示出力を制御して表示装置４４に映像を出力させると共に、音声信号に基づいて音声出力を制御してスピーカ４３に音声を出力させる。視聴者は上述の各信号に対応したデジタル放送番組を視聴することができる。
【００８１】
上述のごとき構成をもつコンテンツ記録装置２０におけるコンテンツ記録処理（番組部分記録処理）を、図７を参照して説明する。
【００８２】
まず、録画（編集）を実行するかの判断を行う（ステップＳ４１）。ここで、録画や編集を行なうまで、録画処理は待機する。一方、ステップＳ４１でＹＥＳの場合、番組を外部入力、或いは記録媒体（記録部３０や外部記録媒体４５）から読み出す（ステップＳ４２）。そして、本発明に係る部分録画（編集）か否かを判定する（ステップＳ４３）。ステップＳ４１，Ｓ４３ではユーザによるボタン押下等による命令によって判定を行い、直接、部分録画の命令を入力できるよう構成しておくことが好ましい。ステップＳ４３でＮＯの場合には、通常録画処理を実行し（ステップＳ４４）、処理を終了する。一方、ステップＳ４３でＹＥＳの場合には、部分録画処理を実行するステップＳ４５へと進む。
【００８３】
ステップＳ４５では、番組における小区画や出演者の一覧（及び分析方法の一覧）をユーザに提示する。そして、提示した一覧の中から番組入力条件をユーザに選択させる（ステップＳ４６）。ここで、「その他」の場合はユーザ入力を促すようにするとよい。次に、番組の初期分析を実行し、音声分析，画像分析，時間情報分析の中から分析方法を決定する（ステップＳ４７）。ステップＳ４７では、ステップＳ４５において分析方法の一覧を複数選択可の状態で提示してユーザ選択させておき、その結果で分析方法の決定を行ってもよい。このように、番組録画が開始されると、まず、ユーザによる命令を入力させる。命令としては、分割するカテゴリ、例えば音楽とコントに分割、タレントを指定して分割などが挙げられる。
【００８４】
次に、その番組（或いは分析条件）が、参照用情報に記録された番組に関連があるかを判定する（ステップＳ４８）。関連がある場合には、番組の内容から、参照用情報を参照して、番組分析条件に合致する部分を抽出する（ステップＳ４９）。ステップＳ４９では、選択された分析方法に基づき、音声分析（ステップＳ５０），画像分析（ステップＳ５１），時間情報分析（ステップＳ５２）のいずれか１又は複数を利用する。ステップＳ４８でＮＯの場合には、番組の内容を時系列で分析し、番組分析条件に合致する部分を抽出する（ステップＳ５３）。ステップＳ５３でも、選択された分析方法に基づき、音声分析（ステップＳ５４），画像分析（ステップＳ５５），時間情報分析（ステップＳ５６）のいずれか１又は複数を利用する。
【００８５】
上述のごとく、録画データの分析を、ユーザ入力された或いは予めユーザ設定された命令情報に基づいて実行する。音声による分析であれば、音声データを入力し、例えば歌手の声紋分析やステレオ／アナログの差異、ＣＭであるか否かなどに基づき、分析する。決り文句「はい、次は〜〜です。」といった音声（発話内容）を拾ってもよい。トークと演奏が交互に繰り返されるような音楽番組などに有効である。画像による分析であれば、例えば出演タレント，キャラクタ，文字（字幕，歌詞などでもよい）などに基づき、分析する。時間による分析であれば、時間データを入力し、例えばコーナーの時間，所定のタレントが出演する時間などに基づき、分析を実行する。
【００８６】
ステップＳ４９，Ｓ５３に続き、分析結果及び番組情報を参照用情報として記録媒体（記録部３０や外部記録媒体４５）に記録する（ステップＳ５７）。このように、これら分析の結果は記録媒体に保存され、後の録画データの分析に利用される。このような分析能力を向上させる学習機能は非常に有効である。勿論、参照用情報Ｒとしては、デジタル/アナログやその他のコンテンツの種別を問わず統一の参照用情報として格納することが好ましいが、コンテンツの種別毎に参照用情報を別途格納するようにしてもよい。そして、番組中、分析により抽出された部分のみを、記録媒体（記録部３０や外部記録媒体４５）に上書き記録／新規記録する（ステップＳ５８）。このように、分析結果に基づきカテゴリに分割し、記録（録画）されるが、手動でも分割を行えるようにし、手動で行った時間，出演者，音声などによる分割を記憶させておき、後に、例えば同じ番組の録画時に利用するとよい。
【００８７】
ここで、上述の各実施形態に関し、ＰＣ（パーソナルコンピュータ）等の汎用コンピュータやＰＤＡ（携帯情報端末）等のモバイルコンピュータ、或いは携帯電話等で適用する場合の、各種情報の処理について、図１０に示す本発明に適用可能な一般的な情報処理装置の構成例を参照して簡単に説明する。図１０において、５０は情報処理装置、５１はＣＰＵ（中央演算処理装置）、５２はＲＡＭ（Ｒａｎｄｏｍ  Ａｃｃｅｓｓ  Ｍｅｍｏｒｙ）、５３はハードディスクドライブ（ＨＤＤ）、５４は入力装置、５５は表示装置、５６は通信装置、５７は出力装置、５８はシステムバス、５９は外部記録媒体である。
【００８８】
本システムで取り扱われる情報は、その処理時に一時的にＲＡＭ５２に蓄積され、その後、ＨＤＤ５３などの記憶手段に格納され、必要に応じて、ＣＰＵ５１によって読み出し、修正・書き込みが行われる。また、コンピュータをコンテンツ記録装置として機能させるためのプログラム（コンテンツ記録プログラム）、或いはコンピュータにコンテンツ記録方法の各ステップを実行させるためのプログラムは、それぞれのＲＯＭやＨＤＤ５３などに蓄積され、ＣＰＵ５１が読み出すことによって実行される。また、処理の途中経過や途中結果は、ＣＲＴ（Ｃａｔｈｏｄｅ−ｒａｙ  Ｔｕｂｅ），ＬＣＤ（Ｌｉｑｕｉｄ  Ｃｒｙｓｔａｌ  Ｄｉｓｐｌａｙ），ＰＤＰ（Ｐｌａｓｍａ  Ｄｉｓｐｌａｙ  Ｐａｎｅｌ）等の表示装置５５を通してユーザに提示され、必要な場合には、キーボード，マウス（ポインティングデバイス）等の入力装置５４からユーザが処理に必要な分析条件等のパラメータや応答を入力すればよい。このコンテンツ記録プログラムは、ユーザが使用する際に容易となるように、表示装置５５用のグラフィカルユーザインターフェース（ＧＵＩ）を備えるようにするとよい。通信装置５６は、上述のネットワーク等に接続して通信を行うための機器であり、ＨＤＤ５３と共にコンテンツの入力経路となる。なお、ＣＰＵ５１，ＲＡＭ５２，ＨＤＤ５３，入力装置５４，表示装置５５，通信装置５６やその他のプリンタや外部記録媒体５９等の出力装置５７などは、バス５８などで接続されていればよい。
【００８９】
以上、図１乃至図１０を参照しながら、本発明のコンテンツ記録装置及び方法を中心に各実施形態を説明してきたが、本発明は、図１０で説明したように、上述した各実施形態におけるコンテンツ記録装置としての情報処理機器（例えばコンピュータ）を、各手段として機能させるためのコンテンツ記録プログラム、或いはコンピュータにそれら装置の処理手順或いはそれらコンテンツ記録方法の各ステップを実行させるためのコンテンツ記録プログラムとしても、或いは、そのコンテンツ記録プログラムを記録した情報処理機器で読み取り可能な記録媒体としての形態も可能である。
【００９０】
本発明によるコンテンツ記録の機能を実現するためのコンテンツ記録プログラムやデータを記憶した記録媒体の実施形態を説明する。なお、ここで説明する記録媒体は、上述の記録媒体１０とその物理的構成は同じでよいが、部分コンテンツ（又はコンテンツ）を記録するための記録媒体１０とはその用途が異なり、単にコンテンツ記録プログラムを記録して流通させるための媒体を指す。ここでの記録媒体としては、具体的には、各種のＣＤ，ＭＯ（光磁気ディスク），ＤＶＤ，ＦＤ，フラッシュメモリや、その他各種ＲＯＭやＲＡＭ等が想定でき、上述したコンテンツ記録プログラムを、これら記録媒体に記録して流通させることにより、当機能の実現を容易にする。そして、図１０で例示したようなコンピュータ等の情報処理装置に、上述のごとくの記録媒体を装着して情報処理装置によりコンテンツ記録プログラムを読み出すか、若しくは情報処理装置が備えている記録媒体にコンテンツ記録プログラムを記憶させておき、必要に応じてこれを読み出すことにより、本発明に係わるコンテンツ記録の機能を実行することができる。
【図面の簡単な説明】
【００９１】
【図１】本発明の一実施形態に係るコンテンツ記録装置の一構成例を示す図である。
【図２】図１のコンテンツ記録装置におけるコンテンツ記録処理例を説明するためのフロー図で、本発明の一実施形態に係るコンテンツ記録方法を説明するためのフロー図でもある。
【図３】本発明の他の実施形態に係るコンテンツ記録装置の一構成例を示す図である。
【図４】図３のコンテンツ記録装置におけるコンテンツ記録処理例を説明するためのフロー図で、本発明の他の実施形態に係るコンテンツ記録方法を説明するためのフロー図でもある。
【図５】本発明の他の実施形態に係るコンテンツ記録装置におけるコンテンツ記録処理例を説明するためのフロー図で、本発明の他の実施形態に係るコンテンツ記録方法を説明するためのフロー図でもある。
【図６】本発明の他の実施形態に係るコンテンツ記録装置の一構成例を示す図である。
【図７】図６のコンテンツ記録装置におけるコンテンツ記録処理例を説明するためのフロー図で、本発明の他の実施形態に係るコンテンツ記録方法を説明するためのフロー図でもある。
【図８】本発明の他の実施形態に係るコンテンツ記録装置の一構成例として番組録画装置の構成例を示すブロック図である。
【図９】図８の番組録画装置における番組録画処理例を説明するためのフロー図で、本発明の他の実施形態に係るコンテンツ記録方法を説明するためのフロー図でもある。
【図１０】本発明に適用可能な一般的な情報処理装置の構成例を示す図である。
【符号の説明】
【００９２】
１，２，３…コンテンツ記録装置、１０…記録媒体、１１…コンテンツ入力手段、１２…分析条件入力手段、１３…コンテンツ分析手段、１３ａ…分析結果記録手段、１３ｂ…参照分析手段、１４…部分記録手段、２０…番組録画装置、２１…アンテナ、２２…チューナ、２３…デコード部、２４…番組録画処理部、２５…エンコード部、２６…出力制御部、２７…ネットワークＩ／Ｆ部、２８…入力部、２９…外部記録媒体Ｉ／Ｆ部、３０…記憶部、３１，５１…ＣＰＵ、３２…メモリ、３３，５８…システムバス、４１…ネットワーク、４２…リモートコントローラ、４３…スピーカ、４４，５５…表示装置、４５，５９…外部記録媒体、５０…情報処理装置、５２…ＲＡＭ、５３…ＨＤＤ、５４…入力装置、５６…通信装置、５７…出力装置、Ｂ…部分コンテンツ、Ｃ…コンテンツ、Ｒ…参照用情報。
【図１】
2006013787.tif 000003
【図２】
2006013787.tif 000004
【図３】
2006013787.tif 000005
【図４】
2006013787.tif 000006
【図５】
2006013787.tif 000007
【図６】
2006013787.tif 000008
【図７】
2006013787.tif 000009
【図８】
2006013787.tif 000010
【図９】
2006013787.tif 000011
【図１０】
2006013787.tif 000012